(57)【要約】【課題】  印刷サイズで撮影画像を表示し得る撮像装置、画像ブレ確認表示方法、プログラム、および記憶媒体の提供【解決手段】  撮影モードで液晶モニタ画面５のサイズのスルー画像４１（図３（ａ））が表示されているときユーザが印刷サイズ（つまり、印刷用紙のサイズまたは印刷される画像のサイズ）を選択すると選択された印刷サイズの画像（図３（ｂ）、（ｃ））を表示する。また、キー操作により印刷サイズの切替を行うことができる。更に、画像を拡大してブレの有無をその場で視認することができる。なお、Ａ４サイズのように大きい印刷サイズを選択した場合には、被写体画像全体５５の一部（枠５６内の部分）を液晶モニタ５の画面サイズの大きさの画像５７に拡大して表示する（図３（ｄ））。【選択図】  図３
2007180988.tif 000002
【特許請求の範囲】
【請求項１】
撮像部とモニタを備えた撮像装置であって、
予め用意されている複数の印刷サイズの１つを選択する印刷サイズ選択手段と、
前記撮像部によって取得された画像を前記印刷サイズ選択手段によって選択された印刷サイズと同じ大きさの画像に変換する画像変換手段と、
前記モニタ上に、前記画像変換手段によって前記印刷サイズ選択手段によって選択された印刷サイズと同じサイズに変換された画像をスルー表示する画像表示手段と、
を設けたことを特徴とする撮像装置。
【請求項２】
前記印刷サイズは、印刷する用紙サイズと選択された用紙サイズの用紙に印刷される画像のサイズによって規定される表示用情報であり、前記印刷サイズ選択手段は予め用意されている複数の印刷サイズのうちから用紙サイズを選択する手段と、選択された用紙サイズで画像を印刷するか選択された用紙サイズの画像を印刷するかを選択する手段とを含むことを特徴とする請求項１に記載の撮像装置。
【請求項３】
更に、ブレを検出するブレ検出手段と、
前記ブレ検出手段によって検出されたブレ量と予め複数の印刷サイズ毎に用意された印刷ブレ許容量とを比較するブレ量比較手段と、
前記ブレ量比較手段による比較結果に基づいて警告を出力する警告出力手段と、
を備えたことを特徴とする請求項１に記載の撮像装置。
【請求項４】
更にブレ検出手段を備え、検出されたブレ量に基づいて、予め用意されている許容可能な印刷サイズを知らせるブレ報知手段を設けたことを特徴とする請求項１に記載の撮像装置。
【請求項５】
前記ブレ検出手段は、前記印刷サイズ選択手段によって選択された印刷サイズに応じた印刷ブレ許容量が設定されることを特徴とする請求項４に記載の撮像装置。
【請求項６】
更に複数のプリンタの機種情報と機種ごとに印刷可能な印刷サイズを対応付けた印刷情報メモリを備え、
前記印刷サイズ選択手段は、前記印刷情報メモリに記憶されている複数の機種情報を基にプリンタを選択するプリンタ選択手段と、このプリンタ選択手段によって選択されたプリンタに対応付けられている印刷サイズのうちから所望の印刷サイズを選択する手段とを含み、
前記画像表示手段は、前記選択されたプリンタで印刷されるサイズと同じサイズで撮像画像を表示することを特徴とする請求項１に記載の撮像装置。
【請求項７】
撮像部とモニタを備えた撮像装置の表示方法であって、
前記撮像部によって撮像された画像を
予め用意されている複数の印刷サイズを選択するステップと、
前記撮像部によって撮像された画像を前記選択された印刷サイズと同じ大きさの画像に変換するステップと、
前記モニタ上に、前記選択された印刷サイズと同じサイズに変換された画像をスルー表示するステップと、
を備えたことを特徴とする表示方法。
【請求項８】
撮像部とモニタを備えた画像表示装置における画像ブレ確認表示方法であって、
画像の印刷サイズを選択するステップと、
画像のブレ量を検出するステップと、
前記検出されたブレ量と予め複数の印刷サイズ毎に用意された印刷ブレ許容量とを比較するステップと、
前記比較結果に基づく情報を報知するステップと、
を備えたことを特徴とする画像ブレ確認方法。
【請求項９】
撮像部とモニタを備えた撮像装置のコンピュータが実行可能なプログラムであって、
予め用意されている複数の印刷サイズを選択する機能と、
前記撮像部によって取得された画像を前記選択された印刷サイズと同じ大きさの画像に変換する機能と、
前記モニタ上に、選択された印刷サイズと同じサイズで前記変換された画像をスルー表示する機能と、
を実行するプログラム。
【請求項１０】
請求項７に記載の表示方法の各ステップをコンピュータに実行させるためのプログラムを記憶したことを特徴とするコンピュータ読み取り可能な記憶媒体。
【請求項１１】
請求項８に記載の画像ブレ確認方法の各ステップをコンピュータに実行させるためのプログラムを記憶したことを特徴とするコンピュータ読み取り可能な記憶媒体。
【請求項１２】
請求項９に記載のプログラムを記憶したことを特徴とするコンピュータ読み取り可能な記憶媒体。
【発明の詳細な説明】
【技術分野】
【０００１】
本発明は、デジタルカメラ等の撮像装置による撮影画像の表示技術に関し、特に、印刷サイズでスルー表示を行い得る撮像装置、表示方法、画像ブレ確認方法及びプログラムに関する。
【背景技術】
【０００２】
撮像画像を印刷するときは、Ｌ版、２Ｌ版、葉書サイズ、Ｂ５、Ａ４、Ａ３等さまざまなサイズで印刷することができる。  
従来、デジタルカメラで撮影した画像を印刷画像として用いる際、印刷画像の品質を確保し得る最大サイズを計算して表示する技術がある（例えば、特許文献１参照）。同特許文献１に開示の技術では、デジタルカメラの総画素数Ｑ、アスペクト比Ａ＝ｘ：ｙを入力させるとともに、印刷画像として必要な解像度ｋを入力させ、総画素数Ｑ、アスペクト比Ａに基づいて算出する縦横の画素数Ｑｙ 、Ｑｘ から、必要な解像度ｋを実現し得る印刷画像の縦横の最大サイズＹ、Ｘを計算して表示する。
【０００３】
また、使用可能な規定のサイズからなる写真を印刷できるように撮影を行うものとして、証明写真の種類を選択してプリントサイズを選択すると選択された証明写真の枠を選択されたプリントサイズに応じた大きさでスルー画像上に表示してシャッターが押下されるまで待機し、その間撮影者は、枠内に被撮影者の上半身が適正な範囲で収まるように、カメラの向き、あるいは被撮影者からの距離等を調整し、枠内に適正な範囲で被撮影者の上半身が収まった状態で撮影者がシャッターを操作すると撮影処理を実行し、スルー画像上に枠が配置された撮影画像の画像データをメモリに記録するとともに、この画像データと関連付けてプリントサイズ情報もメモリに記録するようにしたものがある（例えば、特許文献２参照）。
【０００４】
デジタルカメラで撮影された画像はモニタに表示されるが、通常、モニタの液晶画面のサイズを基準にして決められた倍率にしたがってモニタに表示されている。しかしながら、近年、いろいろな液晶画面の形状、サイズが用いられている。このように、多くのデジタルカメラが異なる液晶画面に撮影画像を表示しているために同じ被写体を表示させていてもカメラの種類によって表示画像のサイズが異なるといった課題があった。
【０００５】
また、一般に、印刷画像のサイズは画素数によって決定され、プリンタの印刷画素（ドット数）はプリンタの機種によって決まるので、プリンタに送られる画像の画素数に印刷サイズが依存することになる。例えば、画素数の少ないカメラ付携帯電話機で撮影した画像を印刷すると小さく印刷されるのは上述したような理由によるものであり、画素サイズが例えば６４０×４８０の画像ならそれに応じたサイズで印刷され、画素サイズが１２８０×９６０の画像ならその縦２倍、横２倍で全体として４倍のサイズで印刷されることとなる。また、デジタルカメラ等の撮像装置の表示画面に表示できる画像の画素数（いわゆる液晶の画素数）は撮影した被写体画像全体の画素数（いわゆる撮像素子の有効画素数）より通常少ないので、表示する際には表示用バッファに画像データを送る際に画素を間引いて表示画面に合うように調整している。一方、記録媒体には被写体画像全体の画素数の画像が記録され、印刷の際は記録媒体から取り出された画像データが指定された印刷サイズで印刷されるので、ユーザが画面を見て認識した画像と印刷時の画像が異なって見える場合があるといった課題があった。
【０００６】
上述の課題を解決するものして、また、プリンタ付撮影装置で撮影した画像を再生時に印刷サイズで表示して確認してから印刷できるようにしたことにより、プリント出力するときに得られる画像の実際の大きさを把握し易くし、所望の印刷サイズの画像をプリントできるようにしたカメラがある（例えば、特許文献３参照）。  
また、撮影時に印刷サイズの画像データを生成して記録し、再生時に印刷サイズで画像を表示することにより出力される印刷サイズに応じた画像を視認可能とした撮像装置がある（例えば、特許文献４参照）。  
【０００７】
一方、手ブレを防止する技術として、手ブレを検知して警告表示などを出力し、しっかりカメラを保持するようユーザを促すものがある。このようなカメラとして、加速度センサの出力が所定値より大きいことを判定する第１判定手段と、画像信号が所定量以上に変化した時を判定する第２判定手段とを設け、第１、第２の判定手段の判定結果に従って警告を行うカメラがある（例えば、特許文献５参照）。
【０００８】
また、シャッター操作時の撮影画像を保存すると共に、シャッター操作前後の画像を自動的に取得し、シャッター操作時の画像と比較して手ブレを検出したとき警告するように構成した電子スチルカメラがある（例えば、特許文献６参照）。
【０００９】
【特許文献１】特開２００４−１８６９４８号公報
【特許文献２】特開２００４−２０７８１３号公報
【特許文献３】特開２００２−１９９３１１号公報
【特許文献４】特開２００４−３２０１１１号公報
【特許文献５】特開２００３−１４０２１９号公報
【特許文献６】特許第２８７０７７２号
【発明の開示】
【発明が解決しようとする課題】
【００１０】
ここで、カメラの種類に関係なく印刷サイズのような一定の形状およびサイズを基にしたスルー画像を表示することができれば、撮影対象を印刷することを前提に撮影する場合などに便利であり、撮影時の見た目の画質と印刷された画像の画質が大きく異なるような不具合は生じない。また、大きく印刷するとブレの影響を受けやすく小さく印刷するとブレの影響は少ないことから、印刷サイズのスルー画像を表示して拡大してみたり、選択された印刷サイズでの印刷ブレ許容量と検出したブレの比較からブレの抑制やブレに応じた印刷サイズの指定に用いること等が期待できる。
【００１１】
しかしながら、上記特許文献１に開示の技術では、デジタルカメラで撮影した原画像を印刷画像として使用するに際し、デジタルカメラの総画素数とアスペクト比に基づいて算出する縦横の画素数から必要な像度を実現し得る印刷画像の最大サイズを計算して計算結果を表示することができるが、単に印刷画像の最大サイズを表示するのみであり、撮影画像を印刷サイズの大きさで表示したり、印刷サイズを拡大／縮小してさまざまな印刷サイズでの表示を可能とするものではない。
【００１２】
上記特許文献２に開示の技術は、使用可能な規定のサイズからなる写真を印刷できるように撮影を行うものとして、証明写真の種類を選択してプリントサイズを選択すれば、選択された証明写真の枠を選択されたプリントサイズに応じた大きさでスルー画像上に表示するというものであって、撮影画像を印刷サイズの大きさで表示したり、印刷サイズを変えてさまざまな印刷サイズでの表示を可能とするものではない。
【００１３】
上記特許文献３および特許文献４に開示の技術では撮影画像の再生時に印刷サイズで表示して確認してから印刷できるようにしたので、プリントの前段でプリント出力するときに得られる画像の実際の大きさを把握し易いといった利点があるが、スルー画像を印刷サイズで表示するわけではないので撮影時の見た目の画質と印刷された画像の画質が大きく異なるような画像を記録してしまうといった不具合を防止できない。撮影時のブレの抑制やブレに応じた印刷サイズの指定に用いることができない。
【００１４】
上記特許文献５に開示の技術では、ブレ検出手段によって所定量以上のブレを検出するたびに警告表示するがブレ検出の閾値は印刷サイズに係わるブレの許容量とは関連がないので、手ブレ等により生ずる印刷ブレを印刷ブレ許容量の範囲に収めることはできない。
【００１５】
上記特許文献６に開示の技術では、シャッター操作時に手ブレが生じた場合そのブレを検出して警告するので、その場で撮り直しができるという利点があるが、ブレを検出して警告を発する際の閾値は印刷サイズに係わるブレの許容量とは関連がないので、特許文献３と同様、手ブレ等により生ずる印刷ブレを印刷ブレ許容量の範囲に収めることはできない。
【００１６】
本発明は、上記課題を解決するためになされたものであり、印刷サイズで撮影画像を表示し得る撮像装置、表示方法、プログラム、および記憶媒体の提供を目的とする。
【課題を解決するための手段】
【００１７】
上記課題を解決するために、請求項１に記載の発明では、撮像部とモニタを備えた撮像装置であって、予め用意されている複数の印刷サイズの１つを選択する印刷サイズ選択手段と、前記撮像部によって取得された画像を前記印刷サイズ選択手段によって選択された印刷サイズと同じ大きさの画像に変換する画像変換手段と、モニタ上に、前記画像変換手段によって前記印刷サイズ選択手段によって選択された印刷サイズと同じサイズに変換された画像をスルー表示する画像表示手段と、を設けたことを特徴とする撮像装置を提供する。  
これにより、選択した印刷サイズでスルー画像を表示できるので、撮影待機時にスルー画像を見て撮影対象を選択した印刷サイズで確認したり、スルー画像上でユーザの用途でのサイズで画像や画質を確認できる。
【００１８】
また、請求項２に記載の発明では、印刷サイズは印刷する用紙サイズと選択された用紙サイズの用紙に印刷される画像のサイズによって規定される表示用情報であり、印刷サイズ選択手段は予め用意されている複数の印刷サイズのうちから用紙サイズを選択する手段と、選択された用紙サイズで画像を印刷するか選択された用紙サイズの画像を印刷するかを選択する手段とを含むことを特徴とする請求項１に記載の撮像装置を提供する。
これにより、選択した用紙サイズの画像もしくは選択した用紙サイズでスルー画像を表示できるので、撮影待機時にスルー画像を見て撮影対象を選択した用紙に印刷される画像のサイズで確認したり、スルー画像上でユーザの用途でのサイズで画像や画質を確認できる。
【００１９】
また、請求項３に記載の発明では、更に、ブレを検出するブレ検出手段と、ブレ検出手段によって検出されたブレ量と予め複数の印刷サイズ毎に用意された印刷ブレ許容量とを比較するブレ量比較手段と、ブレ量比較手段による比較結果に基づいて警告を出力する警告出力手段と、を備えたことを特徴とする請求項１に記載の撮像装置を提供する。  
これにより、撮影時にブレを検出して選択した印刷サイズでの印刷ブレ許容量と比較して検出したブレが印刷ブレ許容量超えたとき警告を出すので、ユーザはカメラを構え直して手ブレを抑制したり、印刷サイズを変更して撮影できることから、印刷ブレの少ない画像を撮影できる。
【００２０】
また、請求項４に記載の発明では、更にブレ検出手段を備え、検出されたブレ量に基づいて、予め用意されている許容可能な印刷サイズを知らせるブレ報知手段を設けたことを特徴とする請求項１に記載の撮像装置を提供する。  
これにより、撮影時にブレを検出して許容可能な印刷サイズをユーザに知らせるので、ユーザは印刷サイズを報知された印刷サイズ等に変更して撮影でき、ブレの少ない画像を印刷できる。
【００２１】
また、請求５項に記載の発明では、ブレ検出手段は、印刷サイズ選択手段によって選択された印刷サイズに応じた印刷ブレ許容量が設定されることを特徴とする請求項３に記載の撮像装置を提供する。  
これにより、印刷サイズを選択すると、その印刷サイズに応じた印刷ブレ許容量をブレ検出用の閾値として設定するので、ブレ検出結果と印刷ブレ許容量との比較や警告出力等の処理が簡単になる。
【００２２】
また、請求項６に記載の発明では、更に複数のプリンタの機種情報と機種ごとに印刷可能な印刷サイズを対応付けた印刷情報メモリを備え、印刷サイズ選択手段は、前記印刷情報メモリに記憶されている複数の機種情報を基にプリンタを選択するプリンタ選択手段と、このプリンタ選択手段によって選択されたプリンタに対応付けられている印刷サイズのうちから所望の印刷サイズを選択する手段とを含み、画像表示手段は、前記選択されたプリンタで印刷されるサイズと同じサイズで撮像画像を表示することを特徴とする請求項１に記載の撮像装置を提供する。  
これにより、ユーザが利用しているプリンタで印刷可能な印刷サイズおよびドット密度で画像を表示できる。
【００２３】
また、請求項７に記載の発明では、撮像部とモニタを備えた撮像装置の表示方法であって、前記撮像部によって撮像された画像を予め用意されている複数の印刷サイズを選択するステップと、撮像部によって撮像された画像を前記選択された印刷サイズと同じ大きさの画像に変換するステップと、モニタ上に、前記選択された印刷サイズと同じサイズに変換された画像をスルー表示するステップと、を備えたことを特徴とする表示方法を提供する。  
これにより、選択した印刷サイズでスルー画像を表示できるので、撮影待機時にスルー画像を見て撮影対象を選択した印刷サイズで確認したり、スルー画像上でユーザの用途でのサイズで画像や画質を確認できる。
【００２４】
また、請求項８に記載の発明では、撮像部とモニタを備えた画像表示装置における画像ブレ確認表示方法であって、画像の印刷サイズを選択するステップと、画像のブレ量を検出するステップと、検出されたブレ量と予め複数の印刷サイズ毎に用意された印刷ブレ許容量とを比較するステップと、比較結果に基づく情報を出力するステップと、を備えたことを特徴とする画像ブレ確認方法を提供する。  
これにより、撮影時に印刷サイズでスルー表示されている画像の印刷ブレ許容量を超える画像ブレが生ずると警告を出したり、どのくらいの印刷サイズであれば印刷ズレが生じないか等の情報を出力できるので、ユーザはこれらの情報を基に撮影するか印刷サイズを変更して撮影するかを選択できる。また、印刷ブレの少ない画像を出力できるので、従来のように再生時に画像の状態を確認しなくてもブレの少ない画像を印刷できる。
【００２５】
また、請求項９に記載の発明では、撮像部とモニタを備えた撮像装置のコンピュータが実行可能なプログラムであって、予め用意されている複数の印刷サイズを選択する機能と、撮像部によって取得された画像を選択された印刷サイズと同じ大きさの画像に変換する機能と、モニタ上に、選択された印刷サイズと同じサイズで変換された画像をスルー表示する機能と、を実行するプログラムを提供する。  
これにより、撮像装置はユーザが選択した印刷サイズでスルー画像を表示させることができるので、ユーザは撮影対象を選択した印刷サイズで確認したり、ユーザの用途でのサイズで画像や画質を確認できる。
【００２６】
また、請求項１０に記載の発明では、請求項７に記載の表示方法の各ステップをコンピュータに実行させるためのプログラムを記憶したことを特徴とするコンピュータ読み取り可能な記憶媒体を提供する。  
これにより、この記憶媒体に格納されたプログラムを実行すると、撮像装置にユーザが選択した印刷サイズで画像をスルー表示させるので、ユーザは撮影対象を選択した印刷サイズで確認したり、ユーザの用途でのサイズで画像や画質を確認できる。
【００２７】
また、請求項１１に記載の発明では、請求項８に記載の画像ブレ確認方法の各ステップをコンピュータに実行させるためのプログラムを記憶したことを特徴とするコンピュータ読み取り可能な記憶媒体を提供する。  
これにより、この記憶媒体に格納されたプログラムを実行すると、撮影時に印刷サイズでスルー表示されている画像の印刷ブレ許容量を超える画像ブレが生ずると警告を出したり、どのくらいの印刷サイズであれば印刷ズレが生じないか等の情報を出力できるので、ユーザはこれらの情報を基に撮影するか印刷サイズを変更して撮影するかを選択できる。また、印刷ブレの少ない画像を出力できるので、従来のように再生時に画像の状態を確認しなくてもブレの少ない画像を印刷できる。
【００２８】
また、請求項１２に記載の発明では、請求項９に記載のプログラムを記憶したことを特徴とするコンピュータ読み取り可能な記憶媒体を提供する。  
これにより、この記憶媒体に格納されたプログラムを実行することにより、撮像装置にユーザが選択した印刷サイズで画像をスルー表示させることができるので、ユーザは撮影対象を選択した印刷サイズで確認したり、ユーザの用途でのサイズで画像や画質を確認できる。
【発明の効果】
【００２９】
本発明によれば、選択した印刷サイズでスルー画像を表示できるので、撮影待機時にスルー画像を見て撮影対象を選択した印刷サイズで確認したり、スルー画像上でユーザの用途でのサイズで画像や画質を確認できる。また、撮影時に印刷ブレ許容量を越えた場合に警告を出力したり、許容可能な印刷サイズを報知することができるので、ブレの少ない画像を印刷することができる。
【発明を実施するための最良の形態】
【００３０】
本実施形態で、「印刷サイズ」とは、例えばＬ版、２Ｌ版、葉書サイズ、Ａ４、Ｂ５などの印刷サイズを意味する。更に詳細には、「印刷用紙」のサイズを意味する場合と「印刷される画像のサイズ」を意味する場合がある。「印刷用紙のサイズ」としてＬ版・・・を指定したときに、印刷される画像が小さいときは空白部分が多く小さく印刷され、「印刷される画像のサイズ」としてＬ版・・・を指定したときは、原画像が小さいときは補間などによって拡大し、原画像が大きいときは間引きなどによって縮小して指定サイズで印刷する。つまり、本明細書において「印刷サイズ」とは印刷用紙のサイズと印刷用紙に印刷される画像のサイズとによって規定される表示用情報である。  
一方、「表示サイズ」とは、液晶モニタ画面に表示される画像の大きさのことを意味し、液晶の画素の大きさ、画素ピッチ及び画素数に依存する。  
従って被写体の大きさと、表示サイズと、印刷サイズは別のものである。被写体を２インチのモニタ画面一杯に表示させたときと、３インチのモニタ画面一杯に表示させたときでは、同じ被写体でも３インチのモニタ画面の方が表示サイズが大きくなる。また、２インチのモニタ画面に３インチのモニタ画面に表示されていると同じサイズで表示させるには、画像を拡大して表示させることになり、画面からはみ出た部分は見えなくなる。
しかし、２インチのモニタ画面に表示しても３インチのモニタ画面に表示しても原画像は同じであるから、表示サイズとは関係なくＬ版、２Ｌ版・・・等で印刷することができる。
印刷サイズとプリンタの印刷ドット数、印刷ピッチの関係はプリンタ固有のものであり、カメラとは直接関係はない。上述したように「印刷される画像のサイズ」としてＬ版を指定すれば、Ｌ版に収まるように印刷制御し、「印刷用紙のサイズ」を指定したときは、プリンタに送られる画像の画素数に依存して印刷サイズが変わる。例えば同じ６４０×４８０画素の画像でも、プリンタによって異なる大きさで印刷されることがある。
本発明では、どのような場合でも、実際に印刷される原寸大でカメラのモニタに表示することができる。すなわち、印刷された紙の上で２センチの画像は、モニタの表示画面上でも２センチで表示することができる。
【００３１】
図１は本発明に係るカメラの一実施例としてのデジタルカメラの外観図である。なお、図１（ａ）はデジタルカメラ１００の正面図、図１（ｂ）はカメラ内部の撮像部の構成例、図１（ｃ）は背面図である。  
図１で、デジタルカメラ１００は図１（ａ）に示すように正面側にレンズ光学系の受光窓１およびストロボ発光部１０を備えている。
【００３２】
レンズ光学系１２の受光窓１から入射する光は図１（ｂ）に示すようにカメラ内部に設けられた電動ミラー・ジンバル部１２−１で反射されてレンズ群１２−２に入射し、被写体像がレンズ群１２−２を介してＣＣＤ（撮像素子）１３上に結像する。
【００３３】
また、デジタルカメラ１００の背面部には図１（ｃ）に示すようにモードの切り換えを行うためのモード選択キー２、カーソルキー３、セットキー４、印刷サイズ画像表示キー７等のキー、及び液晶モニタ画面５、およびズームキー６（６−１，６−２）が設けられている。また、上面にはシャッターキー８、及び電源ボタン９が設けられ、図示しないが側部にはパーソナルコンピュータ（以下、パソコン）やモデム等の外部装置とＵＳＢケーブルに接続する場合に用いるＵＳＢ端子接続部が設けられている。なお、更に、正面等に赤外線通信やブルートゥース等の近接通信用の光送受口や無線通信用アンテナ、ＧＰＳ受信アンテナを設けるようにしてもよい。
【００３４】
図２は図１のデジタルカメラ１００の電子回路構成の一実施例を示す図である。図２で、デジタルカメラ１００は、基本モードである撮影モードにおいて自動合焦（オートフォーカス（ＡＦ））機能を備え、合焦位置や絞り位置を移動させるモータ１１、撮影レンズ２を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１、制御部２２、ＶＲＡＭコントローラ２３、ＶＲＡＭ２４、デジタルビデオエンコーダ２５、表示部２６、ＪＰＥＧ回路２７、メモリカード２８、内蔵メモリ２９、キー入力部３０、手ブレ検出部３１を備えている。図２で、レンズ光学系１２〜カラープロセス回路１８は本発明で撮像部に相当する。なお、実施形態１では手ブレ検出部３１は備えなくてもよい。
【００３５】
撮影モードでのモニタリング状態においては、モータ（Ｍ）１１の駆動により合焦位置や絞り位置が移動され、上記撮影レンズ１を構成する光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。  
ＣＣＤ１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００３６】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画像補間処理及びγ補正処理を含むカラープロセス処理が行われて、デジタル値の輝度信号Ｙ及び色差信号Ｃｂ、Ｃｒが生成され、ＤＭＡ（Direct Memory  Access）コントローラ１９に出力される。
【００３７】
ＤＭＡコントローラ１９は、カラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いて一度ＤＲＭＡインターフェイス（Ｉ／Ｆ）２０を介してバッファメモリとして使用されるＤＲＡＭ２１にＤＭＡ転送する。
【００３８】
制御部２２は、ＣＰＵと、後述するように印刷サイズでの画像表示やブレ検出に対する処理を含む該ＣＰＵで実行される動作プログラムを固定的に記憶したフラッシュメモリ等のプログラム格納メモリ、及びワークメモリとして使用されるＲＡＭ等により構成され、このデジタルカメラ１００全体の制御動作を司るものであり、上記輝度及び色差信号のＤＲＡＭ２１へのＤＭＡ転送終了後に、この輝度及び色差信号をＤＲＭＡインターフェイス２０を介してＤＲＡＭ２１から読出し、表示画像のサイズに合うように画素数を間引いてからＶＲＡＭコントローラ２３を介してＶＲＡＭ２４に書込む。
【００３９】
制御部２２は、撮影モードで、「印刷サイズ画像表示」が選択されるとスルー画像を液晶モニタ５のサイズによって規定されるサイズでの表示から印刷サイズに基づくサイズの表示に切り替える。また、制御部２２は、カメラのブレ検出値に基づく警告表示や各種報知表示等の実行制御等を行う。
【００４０】
制御部２２は、また、キー入力部３０からの状態信号に対応してフラッシュメモリ等のプログラム格納用メモリに格納されている各モードに対応の処理プログラムやメニューデータを取り出して、デジタルカメラ１００の他の各機能の実行制御、例えば、撮像や記録画像の再生機能の実行等を行なう他、機能選択時の機能選択メニューの表示やカーソルキー３等で指定された選択機能メニューや画像の選択決定の制御等を行う。  
【００４１】
デジタルビデオエンコーダ２５は、上記輝度及び色差信号をＶＲＡＭコントローラ２３を介してＶＲＡＭ２４から定期的に読み出し、これらのデータを基にビデオ信号を生成して上記表示部２６に出力する。
【００４２】
表示部２６は、上述したように撮影モード時にはモニタ表示部（電子ファインダ）として機能するもので、デジタルビデオエンコーダ２５からのビデオ信号に基づいた表示を行うことで、その時点でＶＲＡＭコントローラ２３から取込んでいる画像情報に基づく画像をリアルタイムに液晶モニタ５に表示することになる。  
このように表示部２６にその時点での画像がモニタ画像としてリアルタイムに表示されているいわゆるスルー画像の表示状態で、静止画像表示を行いたいタイミングでキー入力部３０を構成するシャッターキー８（図１）を操作するとトリガ信号（撮影指示信号）を発生する。
【００４３】
制御部２２はこのトリガ信号に応じてその時点でＣＣＤ１３から取込んでいる１フレーム分の輝度及び色差信号のＤＲＡＭ２１へのＤＭＡ転送の終了後、直ちにＣＣＤ１３からのＤＲＡＭ２１への経路を停止し、記録保存の状態に遷移する。
【００４４】
この保存記録の状態では、制御部２２がＤＲＡＭ２１に書込まれている１フレーム分の輝度及び色差信号をＤＲＡＭインターフェイス２０を介してＹ、Ｃｂ、Ｃｒの各コンポーネント毎に縦８画素×横８画素の基本ブロックと呼称される単位で読み出してＪＰＥＧ（Joint Photograph cording Experts Group）回路２７に書込み、このＪＰＥＧ回路２７でＡＤＣＴ（Adaptive Discrete Cosine Transform：適応離散コサイン変換）、エントロピ符号化方式であるハフマン符号化等の処理によりデータ圧縮する。  
そして得た符号データを１画像のデータファイルとしてＪＰＥＧ回路２７から読出し、デジタルカメラ１００の記録媒体として着脱自在に装着されるメモリカード２８か内蔵メモリ２９のいずれか一方に記録保存する。  
そして１フレーム分の輝度及び色差信号の圧縮処理及びメモリカード２８または内蔵メモリ２９への全圧縮データの書込み終了に伴って、制御部２２はＣＣＤ１３からＤＲＡＭ２１への経路を再び起動する。                         
【００４５】
また、基本モードである再生モード時には、制御部２２がメモリカード２８又は内蔵メモリ２９に記録されている画像データを選択的に読出し、ＪＰＥＧ回路２７で画像撮影モード時にデータ圧縮した手順とまったく逆の手順で圧縮されている画像データを伸張し、伸張した画像データをＶＲＡＭコントローラ２３を介してＶＲＡＭ２４に展開して記憶させた上で、このＶＲＡＭ２４から定期的に読出し、これらの画像データを元にビデオ信号を生成して表示部２６で再生出力させる。
【００４６】
上記ＪＰＥＧ回路２７は複数の圧縮率に対応しており、圧縮率に対応させて記憶するモードには圧縮率の低い高解像度（一般に、高精細、ファイン、ノーマルなどと呼ばれる）に対応するモードと圧縮率の高い低解像度（一般にエコノミーなどと呼ばれる）モードがある。  
また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）等と呼ばれる画素サイズがある。
【００４７】
キー入力部３０は、上述したモード選択キー２、カーソルキー３、及びセットキー４、ズームキー６（６−１、６−２）や、印刷サイズ画像表示キー７、シャッターキー８、および電源ボタン９等を配し、それらのキー操作に伴う信号は直接制御部２２に送出される。
【００４８】
モード選択キー２は図示の例ではスライドキーからなり、基本モードである撮影モード及び下位モードである動画撮影モード等の選択や、再生モード及びその下位モードである動画再生モード等の選択を行うことができる。なお、動画撮影や動画再生等の各種撮影モードや再生モードの選択は専用キーを設けて行うようにしてもよい。
【００４９】
カーソルキー３は、通常はメニュー選択時等に行うカーソルの移動操作に用いられる。セットキー４は通常はカーソルキー３でのポイント結果の確認や設定値の確認等の際に用いられ、セットキー４を押すとカーソルキー３によるポイント結果が確定し、カーソル指定された処理が開始される。
【００５０】
ズームキー６はズーム操作に用いられ、光学ズームの場合はズームキー６（Ｗボタン６−１またはＴボタン６−２）の操作に対応してズームレンズ（可変焦点距離レンズ）がワイド側またテレ側に移動され、ズーム値が決定され、ズーム値の変化に追従して画角が実際に変化し、液晶モニタ画面５にはワイド（広角）画像又はテレ（望遠）画像が表示される。デジタルズームの場合はズームキー６−１、６−２の操作に対応してズーム値が決定されるが、実際の画角は変化せず、液晶モニタ画面４にはズーム値に応じたサイズの画像がトリミングされて表示される。なお、「印刷サイズ画像表示」が選択された場合はズームキー６−１、６−２の操作に応じて表示する画像が拡大／縮小表示される。
【００５１】
印刷サイズ画像表示キー７を押すと「印刷サイズ画像表示」が選択される。なお、本実施形態ではキー７を印刷サイズ画像表示キーとして用いるようにしたが、キー７のような専用キーを設けることなく、「印刷サイズ画像表示」モードとしてモード選択キー２による選択肢の一つとしたり、他のキーに印刷サイズ画像表示キーとしての機能を割り当てるようにしてもよい。
【００５２】
シャッターキー８は全押して開放するとトリガ信号（撮像指示信号）を出力する。また、手ブレ検出部３１は、撮影指示（実施例ではシャッターキー８の全押し）前に撮影前後の画像の比較対象域における画像のブレ量を算出する。この場合、手ブレ検出部３１をこのようなブレ検出機能を実現するワンチップのマイクロコンピュータとして構成するようにしてもよいし、手ブレ検出部３１の代わりに、撮影前後のフレームの画像から電子的にブレ量を取得する機能を実現するサブプログラムを一つのモジュールとして含むように構成してプログラム格納メモリに格納しておくようにしてもよい。  
また、手ブレ検出部３１として、公知の小型の方位及び振動検出装置を用いるようにしてもよい。このような方位及び振動検出装置は撮影時のデジタルカメラ１００の上下、左右、前後のブレ（ピッチ、ヨー、ロール）を検出してデジタル信号に変換した手ブレ（ブレ量、手ブレ方向）検出信号を制御部２２に送出する。方位及び振動検出装置としては、例えば、２〜３個の角速度センサ／振動ジャイロを用いることができる。  
なお、手ブレ検出部３１を小型の方位及び振動検出装置とワンチップのマイクロコンピュータからなる手ブレ算出装置として構成し、算出したカメラ本体の手ブレ成分情報（ピッチ、ヨー、ロール情報）を制御部２２に送出するようにしてもよい。  
また、手ブレ検出部３１は振動（ブレ量）だけを検出できる小型で安価なセンサ等の装置であってもよい。
【００５３】
（実施形態１）
本実施形態では、デジタルカメラ１００は「印刷サイズ画像表示」を選択可能に構成されており、「印刷サイズ画像表示」で印刷サイズ（つまり、印刷用紙のサイズまたは印刷される画像のサイズ）を選択するとスルー表示される画像のサイズが表示画像を基礎としたサイズから指定された印刷サイズのサイズ（印刷用紙のサイズまたは印刷される画像のサイズ）に切替えられる。つまり、液晶モニタ５には印刷サイズの画像が表示される。したがって、Ａ４サイズのように大きい印刷サイズの画像の印刷を前提とする場合には、表示画面に表示される画像は被写体画像全体の画像の一部分となる。つまり、被写体画像全体の一部が拡大されて表示されることとなる。
【００５４】
図３は本実施形態に係わる印刷サイズの画像表示の説明図であり、図３（ａ）は従来のように液晶画面５の画面サイズにあわせた表示例であり、図３（ｂ）はＬ版の印刷用紙のサイズに印刷される画像の表示例であり、図３（ｃ）はＬ版の印刷用紙に印刷される画像サイズでの表示例である。また、図３（ｄ）は印刷用紙に印刷される画像サイズで表示した場合の画像と全体画像との関係を表示するようにした例である。図３で符号５１は液晶画面サイズの表示画像、符号５２はＬ版の印刷用紙サイズの表示画像、符号５３はＬ版の印刷用紙に印刷される画像サイズの表示画像、符号５４はＬ版の印刷用紙に印刷され画像サイズで表示された画像、符号５６は表示画像５７（この例ではＬ版の印刷用紙のサイズに印刷される画像）が全体画像５５のどの部分を表示しているかを示す枠である。表示画像５６は撮影時のフォーカスエリアを中心とするが、枠５６をカーソルキー３等の操作で移動することにより表示画像５７の表示エリアを移動することもできる。
【００５５】
撮影モードで液晶モニタ画面５のサイズに基づいた画像サイズのスルー画像５１（図３（ａ））が表示されているときユーザが印刷画像表示キー７を押して印刷サイズ（印刷用紙のサイズまたは印刷される画像のサイズ）を選択すると選択された印刷サイズの画像が表示される。例えば、Ｌ版の印刷用紙サイズによる表示を選択すると図３（ｂ）に示すような画像が表示される。また、Ｌ版の印刷用紙に印刷される画像のサイズによる表示を選択すると図３（ｃ）に示すような画像が表示される。  
これにより、ユーザは撮影対象を「印刷用紙のサイズ」または「印刷される画像のサイズ」のサイズで確かめることができることから、ユーザの用途でのサイズで画像や画質を確認できる。また、大きく印刷すると図７（ａ）に示すようにブレの影響を受けやすく小さく印刷すると図７（ｂ）に示すようにブレの影響は少ないことから、ズームキー６−１を押して画像を拡大してブレの有無をその場で視認することができる。
【００５６】
図４は本実施形態に係わるデジタルカメラの画像表示及び記録動作例を示すフローチャートである。以下に示す処理は基本的に制御部２２が予めフラッシュメモリ等のプログラムメモリに記憶されたプログラムに従って実行するものである。以下、図１及び図２に示したデジタルカメラ１００に本発明を適用した例について説明する。
【００５７】
なお、図４のフローチャートでは予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。
【００５８】
撮影モードで、ユーザは撮影待機時にはいつでも印刷サイズ画像表示キー７を押して印刷サイズのスルー画像を表示することができるので、制御部２２はキー入力部３０からの信号を調べユーザが印刷サイズ画像表示キー７を押した場合はステップＳ２に進み、そうでない場合はステップＳ１３に進む（ステップＳ１）。
【００５９】
印刷サイズ画像表示キー７が押された場合は、制御部２２は印刷サイズ選択画面１６０（図１６参照）を表示して印刷サイズ（つまり、印刷用紙のサイズまたは印刷される画像のサイズ）の選択を促し（ステップＳ２）、ユーザが印刷サイズを選択すると、選択された印刷サイズの画像を表示するために、表示サイズ変換テーブル４０（図５）から選択された印刷サイズに対応する印刷ドット数（ａｉ×ｂｉまたはｃｉ×ｄｉ（ｉはテーブル５０の行数））を取得し（ステップＳ３）、その時点のズーム値に対応した焦点距離でＡＥ処理を実行し、ＣＣＤ１３から画像データ（被写体の全体画像データ）を得ると共に自動ホワイトバランス（ＡＷＢ）処理により光源の色に対応したホワイトバランスになるようにカラープロセス回路１８で調整を施した上でＣＣＤ１３からの画像データを間引いて上記ステップＳ３で取得した印刷ドット数に基づいたビデオスルー画像データでＶＲＡＭ２４を書き換えて表示部２６の液晶モニタ５上に選択された印刷サイズの画像をスルー表示する。なお、Ａ４サイズのように大きい印刷サイズを選択した場合には、液晶モニタ５に表示される画像は被写体画像全体の画像の一部分となる。つまり、被写体画像全体のうちの一部（フォーカスエリアを中心とするＡ４サイズ部分）が液晶モニタ５の画面サイズ分の表示エリアの大きさに拡大されて表示されることとなる（ステップＳ４）。
【００６０】
ユーザはカーソルキー３の操作により、他の印刷サイズへの切り替えを行うことができる。例えば、ユーザがカーソルキー３の上方↑操作を行うと現在表示されている画像より大きい印刷サイズの画像が順次表示され、カーソルキー３の下方↓操作を行うと現在表示されている画像より小さい印刷サイズの画像が順次表示されカーソル操作を止めた時点の印刷サイズの画像に切替えられるので、制御部２２はキー入力部３０からの信号を調べ、カーソルキーが操作された場合はステップＳ６に進み、操作されない場合はステップＳ９に進む（ステップＳ４）。
【００６１】
カーソルキー３が操作された場合には、制御部２２はユーザがカーソルキー３の上方↑操作を行った場合には現在表示されている画像より大きい印刷サイズの用紙サイズ名をスルー画像に重ねて表示し、カーソルキー３の下方↓操作を行った場合には現在表示されている画像より大きい印刷サイズの用紙サイズ名をスルー画像に重ねて表示し、カーソル操作を止めた時点の用紙サイズを変更後の用紙サイズとする（ステップＳ６）。
【００６２】
そして、変更後の印刷サイズの画像を表示するために、図５に示すような表示サイズ変換テーブル４０から変更後の印刷サイズに対応する印刷ドット数を取り出し（ステップＳ６）、その時点のズーム値に対応した焦点距離でＡＥ処理を実行し、ＣＣＤ１３から画像データ（被写体の全体画像データ）を得ると共に自動ホワイトバランス（ＡＷＢ）処理により光源の色に対応したホワイトバランスになるようにカラープロセス回路１８で調整を施した上でＣＣＤ１３からの画像データを間引いてから上記ステップＳ６で取り出したドット数に基づいたビデオスルー画像データでＶＲＡＭ２４を書き換えて表示部２６の液晶モニタ５上に変更後の印刷サイズの画像をスルー表示する（ステップＳ８）。
【００６３】
次に、ユーザはズームキー６（キー６−１、６−２）を操作して画像を拡大／縮小できるので、制御部２２はキー入力部３０からの信号を調べ、ズームキー６が操作されたときはステップＳ１０に進み、そうでない場合はステップＳ１１に進む（ステップＳ９）。
【００６４】
ズームキー６が操作された場合は、制御部２２はズームキー６の操作に応じて印刷サイズの画像を拡大／縮小してスルー表示する（ステップＳ１０）。
【００６５】
次に、制御部２２は、所定のフォーカスエリアにピントが合うように自動合焦（ＡＦ）処理を行ない（ステップＳ１１）、シャッターキー８が全押し操作されるとステップＳ１７に進み、そうでない場合はステップＳ３に戻る（ステップＳ１２）。
【００６６】
印刷サイズ画像表示キー７が押されなかった場合は、その時点のズーム値に対応した焦点距離でＡＥ処理を実行し、ＣＣＤ１３から画像データ（被写体の全体画像データ）を得ると共に自動ホワイトバランス（ＡＷＢ）処理により光源の色に対応したホワイトバランスになるようにカラープロセス回路１８で調整を施した上でＣＣＤ１３からの画像データを間引いて液晶モニタ５のサイズに基づいたビデオスルー画像データでＶＲＡＭ２４を書き換えて表示部２６の液晶モニタ５上に印刷サイズの画像をスルー表示する（ステップＳ１３）。
【００６７】
制御部２２はキー入力部３０からの信号を基にズームキー６によるズーム操作が行なわれたか否かを調べ、ズーム操作が行なわれた場合はステップＳ１５に進み、行なわれていない場合はステップＳ１６に進む（ステップＳ１４）。ステップＳ１３でズーム操作が行なわれた場合はズーム操作に応じたズーム値を取得し、このズーム値に基づきズームズームレンズを移動させることにより光学ズーム倍率を変更すると共にＲＡＭにズーム値を保持（上書き記憶）し、ステップＳ１６に進む（ステップＳ１５）。
【００６８】
次に、制御部２２は、所定のフォーカスエリアにピントが合うように自動合焦（ＡＦ）処理を行ない（ステップＳ１６）、シャッターキー８が全押し操作されるとステップＳ１８に進み、そうでない場合はステップＳ１に戻る（ステップＳ１７）。
【００６９】
シャッターキー８が全押しされた場合は、制御部２２はシャッターキー８の全押し検出時点にＣＣＤ１３から取込んでいる１画面分の画像データのＤＲＡＭ２１へのＤＭＡ転送の終了後、直ちにＣＣＤ１３からのＤＲＡＭ２１への経路を停止し、シャッターキー８の全押し検出時点にＤＲＡＭ２１に記憶されている画像データを撮影ＪＰＥＧ回路２７で圧縮処理を施させ、画像ファイル（圧縮画像データ）としメモリカード２８（又は内蔵メモリ２９）等の記録メモリに記録する（ステップＳ１８）。
【００７０】
なお、上記図４のフローチャートでは、ステップＳ２で印刷サイズを選択するようにしたが、ステップＳ２で最初に表示する画像の印刷サイズを所定の印刷サイズ（例えば、Ｌ版）として表示サイズ変換テーブル４０から所定の印刷サイズに対応する印刷ドット数（ａｘ×ｂｙ）を取り出し、ステップＳ３で印刷サイズの画像をスルー表示するようにしてもよい。
【００７１】
また、上記図４のフローチャートではステップＳ１で印刷サイズ画像表示キー７を押すとステップＳ２で印刷サイズを選択し、ステップＳ４で選択または変更された印刷サイズの画像を表示するようにしたが、メモリカード２８や内蔵メモリ２９等の記録媒体に記録された画像を印刷可能なプリンタにはさまざまな種類があり、プリンタの種類によって印刷可能な用紙サイズが異なるので、図６に示すようなプリンタ機種テーブル７０をメモリ等に用意しておき、ステップＳ１で印刷サイズ画像表示キー７を押すとプリンタ名を表示してユーザにプリンタの選択を促し、ユーザがプリンタを選択すると、ステップＳ２で選択されたプリンタ用の印刷サイズ選択画面を一覧表示し、ステップＳ３で選択されたプリンタに対応付けられた表示サイズ変換テーブル（（図５参照）プリンタの機種ごとに予めメ用意されているものとする）から所定の印刷サイズ（例えば、表示サイズ変換テーブル４０の最初に記憶されている印刷サイズ）に対応する印刷ドット数を取り出し、ステップＳ３で表示部２６の液晶モニタ５上に上記所定の印刷サイズの画像をスルー表示するようにしてもよい。  
このようにすれば、ユーザが利用しているプリンタで印刷可能な印刷サイズで画像を表示できるので、そのプリンタで印刷可能な各種印刷サイズで画像を確認することができる。
【００７２】
図５は、印刷サイズの画像を表示するために用いる表示サイズ変換テーブルの一実施例を示す図であり、符号４０は予めメモリに登録またはプログラムのテーブル定数として記憶されている表示サイズ変換テーブルであり、符号４１は印刷サイズの種類を示すコードを記憶した種類コード記憶欄、符号４２は各印刷サイズに応じた印刷ドット数（＝表示画素数）を記憶したドット数記憶欄であり、ドット数記憶欄４２は印刷用紙のサイズで印刷する場合のドット数（ａｉ×ｂｉ）を記憶した印刷用紙サイズドット数欄４２−１と画像サイズで印刷する場合のドット数（ｃｉ×ｄｉ）を記憶した画像サイズドット数欄４２−２からなる。また、符号４３は印刷サイズを表示する際に用いる印刷サイズ名称（文字コード）を記憶した名称記憶欄である。
【００７３】
図４のステップＳ２で表示される印刷サイズ選択画面１６０（図１６参照）で印刷用紙の名称と印刷用紙の種類を選択した後、「印刷用紙サイズで表示」を選択すると、表示サイズ変換テーブル４０のうち選択された印刷用紙の種類に対応する印刷用紙サイズドット数欄４２−１に記憶されているドット数（ａｉ×ｂｉ）が取り出され、「印刷する画像サイズで表示」を選択すると画像サイズドット数欄４２−２に記憶されているドット数（ｃｉ×ｄｉ）が取り出される。
【００７４】
図６はプリンタ機種テーブルの一実施例を示す図であり、符号７０は予めメモリに登録またはプログラムのテーブル定数として記憶されているプリンタ機種テーブルであり、符号７１はプリンタの名称（または機種）を記憶したプリンタ名称欄、符号７２はプリンタに対応付けられた表示サイズ変換テーブル４０（図５参照）の先頭アドレスを記憶したポインタ欄である。この場合、表示サイズ変換テーブル４０はプリンタ名称欄７１に記憶されているプリンタの数だけメモリに登録またはプログラムのテーブル定数として記憶されており、各表示サイズ変換テーブルには、図５のイズ変換テーブル４０と同様に、印刷サイズコードと各印刷サイズに応じた印刷ドット数および印刷サイズ名称が登録されているものとする。
【００７５】
＜実施形態１の変形例＞  
本実施形態では印刷サイズを表示サイズとしたが、ブレを判定するためにステップＳ２で表示サイズを選択または指定するようにし、スルー表示の際この選択されたサイズの画像を表示するようにしてもよい。例えば、図４のステップＳ１を「撮影モードで、ユーザは撮影待機時にはいつでも選択・指定サイズ画像表示キー７を押して選択または指定されたサイズのスルー画像を表示することができるので、制御部２２はキー入力部３０からの信号を調べユーザが選択・指定サイズ画像表示キー７を押した場合はステップＳ２に進み、そうでない場合はステップＳ１３に進む」とし、ステップＳ２を「選択・指定サイズ画像表示キー７が押された場合はサイズ選択画面を表示して表示サイズの選択または指定を促し」とし、ステップＳ３を「表示サイズが選択または指定された場合は、選択または指定されたサイズの画像を表示するために、指定されたサイズを基に表示する画素数（Ｐｘ×Ｑｙ）を算出し」とし、ステップＳ４を「その時点のズーム値に対応した焦点距離でＡＥ処理を実行し、ＣＣＤ１３から画像データ（被写体の全体画像データ）を得ると共に自動ホワイトバランス（ＡＷＢ）処理により光源の色に対応したホワイトバランスになるようにカラープロセス回路１８で調整を施した上でＣＣＤ１３からの画像データを間引いて上記ステップＳ３で算出した画素数に基づいたビデオスルー画像データでＶＲＡＭ２４を書き換えて表示部２６の液晶モニタ５上に指定サイズの画像をスルー表示する」とすればよい。また、この場合、ステップＳ５〜Ｓ８は不要となる。
【００７６】
（実施形態２）  
本実施形態では図２に示した手ブレ検出部３１で撮影指示前に取り込んだ前後の画像のブレ量を取得し、ブレ量が選択された印刷用紙に印刷された場合に許容される印刷ブレ許容量を越えたとき、警告を出力したり、ブレが許容範囲内に収まる印刷サイズをユーザに報知するようにした例について述べる。
【００７７】
図７は印刷サイズの大きさによる印刷ブレの相違を示す説明図であり、図７（ａ）は拡大された画像６１を印刷した際のブレの様子を示す図であり、大きなサイズで印刷するとブレ６２〜６３のようにブレの影響を受けやすいことがわかる。図７（ｂ）に示すように小さく印刷するとブレ６６、６７のようにブレの影響が少ないことがわかる。そこで、図１４に示すような印刷サイズで画像を表示する場合の印刷ブレ許容量を各印刷サイズに対応させた印刷ブレ許容量テーブル９０（図１４）を基に撮影画像のブレ量と比較して警告若しくは報知を行なうことができる。
【００７８】
図８は画像のブレ検出方法の説明図であり、ある時点における現フレームの被写体像Ａと前フレームの被写体像Ｂにブレが生じている状態を模式的に示した図である。  
ブレ量の検出はスルー画の表示中に、フレーム毎に取得した新たな被写体像（現フレーム）から評価領域（図８の例ではラインＣ）の画像データを切り出し、直前の被写体像（前フレーム）における評価領域の画像データとの相関量を演算することにより得ることができる。
【００７９】
画像のブレ量は、図８の例では、評価領域を１ライン分のラインＣとして、そのピクセルデータを取得し、被写体像Ａの画像信号をf（ｎ）、被写体像Ｂの画像信号をｇ（ｎ）として、上記ラインＣの区間ａ〜ｂについての相関量Ｒｆｇを下記式（１）のような相関関係式を基に演算して算出することができる。  
【数１】
2007180988.tif 000003
【００８０】
図９はブレ量検出領域の説明図であり、フォーカスエリアをブレ量検出領域とした例である。上記図８の説明では被写体像より大きい区間ａ、ｂの１ラインＣをブレ量検出領域（評価領域）として相関量を演算するので、図９のように被写体の頭や手足が動いたような場合にはブレが検出されるが、この場合、カメラの手ブレによる画像のブレも被写体の動きによる画像のブレもブレとして検出されてしまう。  
そこで、図示のように被写体８１、８２の頭や手足が動いてもあまり影響のないような部分、例えば、フォーカスエリア（区間α〜βとラインｉ〜ｊ（ライン数＝ｍ）で囲まれる矩形部分）８３に相当する画像部分をブレ量検出領域として設定すると、略ブレ量のみを、上述した式（１）による演算をｍライン分繰り返して累積した相関量を基に取得することができる。
【００８１】
図１０は本実施形態に係わるデジタルカメラの印刷サイズ画像表示時のブレ検出及び警告動作例を示すフローチャートであり、図１１は本実施形態に係わるデジタルカメラの液晶モニタ画面サイズの画像表示時のブレ検出及び警告動作例を示すフローチャートである。図１０および図１１で、ステップＳ１〜Ｓ１０、ステップＳ１２〜Ｓ１５、ステップＳ１７、Ｓ１８の動作は図４のフローチャートのステップＳ１〜Ｓ１０、ステップＳ１２〜Ｓ１５、ステップＳ１７、Ｓ１８の動作と同様である。  
図１０では図４のフローチャートのステップＳ１１の自動合焦（ＡＦ）処理と並行動作する印刷サイズ画像表示時のブレ検出及び警告処理動作例を示し、図１２では図４のフローチャートのステップＳ１６の自動合焦（ＡＦ）処理と並行動作する印刷サイズ画像表示時のブレ検出及び警告処理動作例を示す。また、図１０、図１１に示す並列処理を実現するプログラムは図４のフローチャートに示す動作を実現するプログラムのサブプログラムとして含まれるものとする。
【００８２】
「印刷サイズによるブレ判定動作」  
図１０では、図４のフローチャートのステップＳ９若しくはステップＳ１０から遷移があると、制御部２２は図４のステップＳ１１の自動合焦（ＡＦ）処理と並行して、下記ステップＴ１〜Ｔ５の動作を実行する。以下、図１、図２、図４、図８、および図１０を基に説明する。
【００８３】
図１０で、図４のフローチャートのステップＳ９若しくはステップＳ１０から遷移があると、制御部２２は光学系１２〜カラープロセス回路１８で構成する撮像部からＤＲＡＭ２１に取り込んだ画像データ（現フレームの被写体像）のフォーカスエリア（図９で符号８３で示す部分）の画像を切り出し（ステップＴ１）、切り出した現フレームの被写体像の画像とＤＲＡＭ２１に記憶されている前フレームの被写体像から切り出したフォーカスエリアの画像との区間α〜βのｍライン分の累積相関量を上述した式（１）に示したような相関関係式を基にした演算プログラムにより算出してブレ量を取得する（図９、図１２参照）（ステップＴ２）。
【００８４】
次に、制御部２２は図１４に示すような印刷ブレ許容量テーブル９０から印刷サイズに応じた印刷ブレ許容量を取り出して（ステップＴ３）、上記ステップＴ２で取得したブレ量とステップＴ３で印刷ブレ許容量テーブル９０から取り出した印刷ブレ許容量とを比較し、ブレ量が印刷ブレ許容量を超える場合はステップＴ５に進み、ブレ量が印刷ブレ許容量以下の場合は図４のステップＳ１２に進む（ステップＴ４）。
【００８５】
ブレ量が印刷ブレ許容量を越える場合は、制御部２２は表示部２６に警告メッセージ（例えば、「画像が、印刷時のブレ許容範囲より大きくブレています。カメラを構え直すか印刷サイズを変更してください」を表示して、ユーザに手ブレの抑止若しくは印刷サイズの変更を促し、図４のステップＳ１２に進む（ステップＴ５）。
【００８６】
上記図１０のフローチャートに示した動作により、ブレ警告方法として印刷サイズを用いることができる。また、印刷サイズの大きいほうが印刷サイズの小さいほうよりも画像サイズが小さい（例えば、Ｂ４サイズの用紙とＬ版サイズの画像ではＬ版のほうの画像サイズが小さいので）、Ｂ４サイズで撮影するとピクセル等倍で画像のブレが判定されることとなるが、Ｌ版サイズでは印刷される画像のサイズがＢ４サイズの画像よりも小さいので、ズレ判定ではL版サイズの画像の印刷ブレ許容量α１はＢ４サイズの印刷ブレ許容量α６よりも低くてもよい（つまり、許容量α１＜α６）。また、印刷サイズでのブレ判定基準（印刷ブレ許容量）が設けられていることから、ユーザが選択した印刷サイズでのブレが許容量内であれば画質が安定しているので、安心して撮影し、画像を記録できる。したがって、従来のように予備の画像を撮影しておき、画質のよいほうを印刷に使用するといった手間を減らすことができるので撮影の際の使い勝手が向上する。
【００８７】
なお、上記図１０のフローチャートでは、ステップＴ３で印刷ブレ許容量テーブル９０から選択された印刷サイズに対応する印刷ブレ許容量を取得し、ステップＴ３でブレ検出値（ブレ量）と比較するようにしたが、図４のステップＳ２で印刷サイズを選択したとき、印刷ブレ許容量テーブル９０から選択された印刷サイズに対応する印刷ブレ許容量を取得し、ブレ検出時の閾値として設定するようにしてもよい。このようにすればステップＴ３を省略でき、図１１に示すブレ検出動作で済むのでブレ検出動作用のサブプログラムを共用できる。
【００８８】
「通常のブレ判定」  
図１１で、図４のフローチャートのステップＳ１４若しくはステップＳ１５から遷移があると、制御部２２は光学系１２〜カラープロセス回路１８で構成する撮像部からＤＲＡＭ２１に取り込んだ画像データ（現フレームの被写体像）のフォーカスエリアの画像を切り出し（ステップＵ１）、切り出した現フレームの被写体像の画像とＤＲＡＭ２１に記憶されている前フレームの被写体像から切り出したフォーカスエリアの画像との区間α〜βのｍライン分の累積相関量を上述した式（１）に示したような相関関係式を基にした演算プログラムにより算出してブレ量を取得する（ステップＵ２）。
【００８９】
次に、制御部２２は上記ステップＵ２で取得したブレ量と所定の閾値とを比較し、ブレ量が閾値許容量を超える場合はステップＵ４に進み、ブレ量が閾値以下の場合は図４のステップＳ１７に進む（ステップＵ３）。
【００９０】
ブレ量が閾値を越える場合は、制御部２２は表示部２６に警告メッセージ（例えば、「画像がブレています。カメラを構え直してください」を表示して、ユーザに手ブレの抑止を促し、図４のステップＳ１７に進む（ステップＵ４）。
【００９１】
「ブレ量算出動作」  
図１２は図１０のステップＴ２におけるブレ検出部３１によるブレ量算出動作の詳細を示すサブプログラムの動作を示すフローチャートであり、ラインカウンタＬと、現フレームと前フレームのブレ量検出領域としてのフォーカスエリアの相関量を累積する累積相関エリアがＤＲＡＭ２１に確保されるものとする。また、図１１のステップＵ２のブレ検出部３１によるブレ量算出動作も図１２のフローチャートと同様であり（図１１ではステップＵ２−１〜Ｕ２−６としてカッコ書きで示してある）。図１０の場合と同様にラインカウンタＬと、現フレームと前フレームのブレ量検出領域としてのフォーカスエリアの相関量を累積する累積相関エリアがＤＲＡＭ２１に確保されるものとする。
【００９２】
図１２で、図１０のステップＴ１で切り出した現フレームの被写体像のフォーカスエリア（図９の例では符号８３の部分）の画像と前フレームの被写体像のフォーカスエリア部分の画像をｍライン（m＝ライン番号ｊ−ｉ）×（β−αの長さ）とすると、制御部２２はラインカウンタＬの値をｉに、累積相関量エリアを０に設定し（ステップＴ２−１）、フォーカスエリアＰのラインカウンタＬの値が示す１ラインのライン区間α〜βのピクセルデータを取得し（Ｔ２−２）、現フレームの被写体像のフォーカスエリアの画像と前フレームの被写体像のフォーカスエリア８３の画像の相関量を式（１）に示したような相関関係式を基にした演算プログラムにより算出して累積相関量エリアに加え、（ステップＴ２−３）、ラインカウンタＬに１を加えた結果がｊより大きい場合はステップＴ５−２に進み、そうでない場合はステップＴ２−２に戻る（ステップＴ２−４）。
【００９３】
累積相関量と上限閾値を比較し、累積相関量が上限閾値以下のときは図１０のステップＴ３（または図１１のステップＵ３）に進み、累積相関量が上限閾値より大きいときは手ブレ以外の原因（例えば、カメラの移動或いは被写体の動き）によるブレとして累積相関量を上限閾値で置き換えて算出された相関量としてステップＴ２−６に進む（ステップＴ２−５）。上記ステップＴ２−４で算出（又は置換された）累積相関量を基に手ブレ量を取得して図１０のステップＴ３（または図１１のステップＵ３）に進む（ステップＴ２−６）。
【００９４】
なお、上記図１０及び図１１のフローチャートの説明では、手ブレ量検出領域としてフォーカスエリアの矩形を用いたがブレ量検出領域はフォーカスエリアの矩形に限定されない。例えば、フォーカスエリアの矩形内の所定の１ラインを手ブレ量検出領域としてもよいし、フォーカスエリア以外の部分を手ブレ量検出領域としてもよい。また、手ブレ検出部３１で前後の画像の輪郭を抽出したあと、手ブレ量検出領域において上記図１２のフローチャートと同様の動作で輪郭の差からブレ量算出を行うようにしてもよい。  
また、印刷サイズの印刷ブレ許容量を超えると警告表示を行うようにしたが、これに代えて、警告メッセージを音声出力したり、警告音を出したり、警告ランプを表示するようにしてもよい。
【００９５】
また、上記図１０及び図１１のフローチャートの説明では、ブレ検出部３１はフォーカスエリア等の手ブレ量検出領域で前後の画像のブレを検出するようにしたが、ブレ検出部３１を公知の小型の方位及び振動検出装置として、このような振動検出装置でブレを検出するようにしてもよい。
【００９６】
＜実施形態２の変形例＞  
実施形態２では印刷サイズで表示されている画像の印刷ブレ許容量を超える画像ブレが生ずると警告を出すようにしたが、撮影した画像を印刷することを前提として撮影時にどの印刷サイズまで印刷ブレを感じさせないで印刷可能かを判定し、印刷サイズを撮影時に表示し、使い勝手を更に向上させることができる。
【００９７】
図１３は本実施形態に係わるデジタルカメラの印刷サイズによるブレ検出及び警告動作の変形例を示すフローチャートであり、ステップＴ１〜Ｔ３の動作は図１０に示したフローチャートのステップＴ１〜Ｔ３と同様である。
【００９８】
図１３で、制御部２２は、図１２のステップＴ２で取得したブレ量とステップＴ３で印刷ブレ許容量テーブル９０から取り出した印刷ブレ許容量とを比較し、ブレ量が印刷ブレ許容量を超える場合はステップＴ５に進み、ブレ量が許容量以下の場合はステップＴ７に進む（ステップＴ４）。
【００９９】
ブレ量が印刷ブレ許容量を超える場合は、印刷ブレ許容量テーブル９０をサーチし、印刷サイズ記憶欄９１に記憶されている印刷サイズのうち、一段上の印刷サイズに対応する印刷ブレ許容量を取り出し（ステップＴ５）、ステップＴ２で取得したブレ量とステップＴ３で印刷ブレ許容量テーブル９０から取り出した印刷ブレ許容量とを比較し、ブレ量が印刷ブレ許容量を超える場合はステップＴ５に戻り、ブレ量が印刷ブレ許容量以下の場合はステップＴ７に進む（ステップＴ６）。
【０１００】
ブレ量が印刷ブレ許容量以下の場合は、制御部２２は印刷可能なサイズとして液晶モニタ画面５の一部に図１５に示すように現在比較対象とした印刷ブレ許容量の印刷サイズ名称を表示し、図４のステップＳ１２に進む（ステップＴ７）。
【０１０１】
図１４は印刷ブレ許容量テーブルの一実施例を示す図であり、符号９０は予めメモリに登録またはプログラムのテーブル定数として記憶されている印刷ブレ許容量テーブルであり、符号９１は印刷サイズの種類を示すコードを記憶した種類コード記憶欄、符号９２は各用紙サイズに応じた印刷ブレ許容量を記憶した印刷ブレ許容量記憶欄、符号９３は印刷サイズを表示する際に用いる印刷サイズ名称（文字コード）を記憶した名称記憶欄である。なお、印刷ブレ許容量テーブル９０で種類コード記憶欄９１最後の行の「ＭＡＸ」は図１３のフローチャートのステップＴ６で印刷ブレ許容量テーブル９０をサーチした際に、該当がない場合を示し、この場合はステップＴ７で「印刷サイズ該当なし」が表示される。
【０１０２】
図１５は図１３のフローチャートのステップ１２で画面の一部に印刷可能なサイズを表示したスルー画像の例を示す図であり、記号１４１は印刷サイズで表示されているスルー画像、記号１４２、１４３はブレ、記号１４４−１、１４４−２、１４４−３・・・、１４５は表示された印刷サイズ名称を示す。  
図１５（ａ）は印刷可能なサイズ１４４−１、１４４−２、１４４−３を全て表示するようにした例であり、この例では符号１４４−３でブリンク表示されている「Ａ５」は最大の印刷可能なサイズである。また、図１５（ｂ）の例は、最大の印刷可能なサイズ名１４５のみをブリンクさせて表示するようにした例である。なお、印刷可能なサイズの表示方法はいろいろあり、これらの表示例に限定されない。
【０１０３】
図１６は印刷サイズ選択画面の一実施例を示す図であり、印刷サイズ選択画面１６０は印刷用紙サイズを選択する印刷用紙サイズ欄１６１と液晶モニタ５上での表示方法を選択する表示方法選択欄１６２からなり、ユーザが図４のステップＳ２でカーソルキー３等のキー操作により印刷用紙サイズ欄１６１に表示されている印刷用紙サイズのうちの一つを選択したあと、表示方法選択欄１６２の「印刷用紙サイズで表示」または「印刷する画像サイズで表示」のいずれかを選択し、確認キー（例えば、セットキー４）を押すと、印刷サイズが選択される。
【０１０４】
以上、本発明のいくつかの実施例について説明したが本発明は上記各実施例に限定されるものではなく、種々の変形実施が可能であることはいうまでもない。例えば、撮像装置という用語は、デジタルカメラ等の電子カメラだけでなく銀塩カメラやカメラ付き携帯電話機やカメラ付き携帯情報機器も含む。
【図面の簡単な説明】
【０１０５】
【図１】本発明に係るカメラの一実施例としてのデジタルカメラの外観図である。
【図２】図１のデジタルカメラの電子回路構成の一実施例を示す図である。
【図３】実施形態１に係わる印刷サイズ画像表示の説明図である。
【図４】実施形態１に係わるデジタルカメラの画像表示及び撮影動作例を示すフローチャートである。
【図５】表示サイズ変換テーブルの一実施例を示す図である。
【図６】プリンタ機種テーブルの一実施例を示す図である。
【図７】印刷サイズの大きさによる印刷ブレの相違を示す説明図である。
【図８】画像のブレ検出方法の説明図である。
【図９】ブレ量検出領域の説明図である。
【図１０】実施形態２に係わるデジタルカメラの印刷サイズ画像表示時のブレ検出及び警告動作例を示すフローチャートである。
【図１１】実施形態２に係わるデジタルカメラの液晶モニタ画面サイズの画像表示時のブレ検出及び警告動作例を示すフローチャートである。
【図１２】図１０および図１１のフローチャートにおけるブレ量算出動作の詳細を示すサブプログラムの動作を示すフローチャートである。
【図１３】実施形態２に係わるデジタルカメラの印刷サイズによるブレ検出及び警告動作の変形例を示すフローチャートである。
【図１４】印刷ブレ許容量テーブルの一実施例を示す図である。
【図１５】画面の一部に印刷可能なサイズを表示したスルー画像の例を示す図である。
【図１６】印刷サイズ選択画面の一実施例を示す図である。
【符号の説明】
【０１０６】
３  カーソルキー（印刷サイズ選択手段）
５  液晶モニタ（モニタ
２２  制御部（ブレ量比較手段、警告出力手段）
２６  表示部（画像表示手段、警告出力手段）
３１  ブレ検出部（ブレ検出手段）
４０  表示サイズ変換テーブル（画像変換手段）
８１  被写体
９０  印刷ブレ許容量テーブル
１００  デジタルカメラ（撮像装置）
１６０  印刷サイズ選択画面（印刷サイズ選択手段）
【図１】
2007180988.tif 000004
【図２】
2007180988.tif 000005
【図３】
2007180988.tif 000006
【図４】
2007180988.tif 000007
【図５】
2007180988.tif 000008
【図６】
2007180988.tif 000009
【図７】
2007180988.tif 000010
【図８】
2007180988.tif 000011
【図９】
2007180988.tif 000012
【図１０】
2007180988.tif 000013
【図１１】
2007180988.tif 000014
【図１２】
2007180988.tif 000015
【図１３】
2007180988.tif 000016
【図１４】
2007180988.tif 000017
【図１５】
2007180988.tif 000018
【図１６】
2007180988.tif 000019